【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
基部と、該基部上に立設されたレバー操作部と、該レバー操作部に対する基部面方向の２次元押圧力を検知して２次元の検知信号を出力するための第１の検知センサ部と、前記レバー操作部に対する基部鉛直方向の押圧力を検知して入出力信号を出力するための第２の検知センサ部とを備え、前記第２の検知センサ部は、前記レバー操作部の上面に設けられたことを特徴とする座標入力装置。
【請求項２】
基部と、該基部上に立設されたレバー操作部と、該レバー操作部に対する基部面方向の２次元押圧力を検知して２次元の検知信号を出力するための第１の検知センサ部と、前記レバー操作部に対する基部鉛直方向の押圧力を検知して入出力信号を出力するための第２の検知センサ部と前記第１の検知センサ部及び前記第２の検知センサ部からの信号を演算処理する制御回路とを備え、前記レバー操作部の傾倒と共に、前記第２の検知センサ部からの信号によりドラッグ機能を行なうことを特徴とする座標入力装置。
【請求項３】
基部と、該基部上に立設されたレバー操作部と、該レバー操作部に対する基部面方向の２次元押圧力を検知して２次元の検知信号を出力するための第１の検知センサ部と、前記レバー操作部に対する基部鉛直方向の押圧力を検知して入出力信号を出力するための第２の検知センサ部と前記第１の検知センサ部及び前記第２の検知センサ部からの信号を演算処理する制御回路とを備え、前記第２の検知センサ部からの信号によりダブルクリック機能を行なうことを特徴とする座標入力装置。
【請求項４】
基部と、該基部上に立設されたレバー操作部と、該レバー操作部に対する基部面方向の２次元押圧力を検知して２次元の検知信号を出力するための第１の検知センサ部を一側に、前記レバー操作部に対する基部鉛直方向の押圧力を検知して入出力信号を出力するための第２の検知センサ部を他側に備えたフレキシブル基板とを備え、
前記第１の検知センサ部が形成されたフレキシブル基板の一側が前記レバー操作部と基部との間に介在され、前記第２の検知センサ部が形成されたフレキシブル基板の他側が前記レバー操作部の上側に延設され、前記第２の検知センサ部上にメタルコンタクト部材を介して操作キャップが設けられてなることを特徴とする座標入力装置。
【請求項５】
前記メタルコンタクト部材が、前記操作キャップの下方向への押圧力により弾性変形し、前記操作キャップへの押圧力解除により弾性復帰する金属板部を備えてなることを特徴とする請求項４に記載の座標入力装置。
【請求項６】
前記メタルコンタクト部材の金属板部の弾性変形振動が、前記操作キャップを介して操作者側に伝達される大きさとされてなることを特徴とする請求項５に記載の座標入力装置。
【請求項７】
前記メタルコンタクト部材の金属板部がドーム型とされてなることを特徴とする請求項５または６に記載の座標入力装置。
【請求項８】
前記レバー操作部の底部に操作板が一体的に形成され、該操作板に前記フレキシブル基板の一側が重ねられた状態で前記基部にメタルクリップによりレバー操作部が取り付けられてなることを特徴とする請求項４〜７のいずれか１項に記載の座標入力装置。
【請求項９】
前記レバー操作部の底部に操作板が一体的に形成され、該操作板に前記フレキシブル基板の一側が重ねられた状態で前記操作板および基部を貫通する固定ピンによりレバー操作部が取り付けられてなることを特徴とする請求項４〜８のいずれか１項に記載の座標入力装置。
【請求項１０】
前記固定ピンが、前記第１の検知センサ部の電気回路に接続され、導通部材を兼ねてなることを特徴とする請求項９に記載の座標入力装置。
【請求項１１】
前記操作キャップの天板下面中央部に前記メタルコンタクト部材中央部の押圧変形用の突起部が形成されてなることを特徴とする請求項４〜１０のいずれか１項に記載の座標入力装置。
【請求項１２】
基部と、該基部上に立設されたレバー操作部と、該レバー操作部に対する基部面内方向の２次元押圧力を検知して２次元の検知信号を出力するための第１の検知センサ部と、基部鉛直方向の入出力信号を出力するための第２の検知センサ部とを備え、前記第１の検知センサ部が前記レバー操作部と基部との間に介在された基板上に形成され、前記第２の検知センサ部が前記レバー操作部上に設けられ、前記第２の検知センサ部の上側にメタルコンタクト部材が設けられ、該メタルコンタクト部材と対向する位置に基部面内方向の入力によりメタルコンタクト部材を弾性変形させて前記第２の検知センサ部の入切を行うための突起部が設けられてなることを特徴とする座標入力装置。
【請求項１３】
前記メタルコンタクト部材が、前記突起部からの押圧力により弾性変形し、前記突起部からの押圧力解除により弾性復帰する金属板部を備えてなることを特徴とする請求項１２に記載の座標入力装置。
【請求項１４】
前記レバー操作部が、操作板と該操作板の中央部に一体的に立設された柱状の操作部とから構成されており、前記メタルコンタクト部材が前記操作部に沿って上下に移動自在に被着され、該メタルコンタクト部材の下側に一対の金属のメタルプレートが設けられ、
前記メタルコンタクト部材に形成した接点部の上下移動によって前記一対のメタルプレートの接続が入切されることを特徴とする請求項１２または１３に記載の座標入力装置。
【請求項１５】
基部と、該基部上に立設されたレバー操作部と、該レバー操作部上に設けられたタクトスイッチと、該タクトスイッチ上に設けられた操作キャップと、前記レバー操作部に対する基部面方向の２次元押圧力を検知して２次元の検知信号を出力するための第１の検知センサ部と、前記操作キャップによるタクトスイッチの入切により、基部鉛直方向の入出力信号を出力するための第２の検知センサ部とを具備してなることを特徴とする座標入力装置。
【請求項１６】
前記レバー操作部の底部に操作板が一体的に形成されており、該操作板をメタルプレートにより前記基部に取り付けてなることを特徴とする請求項１５に記載の座標入力装置。
【請求項１７】
前記第１の検知センサ部が、前記レバー操作部と基部との間に介在されたフレキシブル基板上に形成され、前記タクトスイッチに接続された複数の接続端子の足部が、レバー操作部を挿通させて前記フレキシブル基板中央部に形成された複数の接続端子に接続されてなることを特徴とする請求項１５または１６に記載の座標入力装置。
【請求項１８】
前記レバー操作部にスイッチ収納部を備え、該スイッチ収納部に前記タクトスイッチと、該タクトスイッチに接続された接続端子の金属基部と、前記タクトスイッチを押圧するためのアクチュエータとを収納し、前記アクチュエータの上下移動により前記タクトスイッチの入切がなされ、タクトスイッチの入切信号が接続端子を介してフレキシブル基板に伝達自在とされたことを特徴とする請求項１５〜１７のいずれか１項に記載の座標入力装置。
【請求項１９】
基部と、該基部上に立設されたレバー操作部と、該レバー操作部に対する基部面方向の２次元押圧力を検知して２次元の検知信号を出力するための第１の検知センサ部と、基部鉛直方向の入出力信号を出力するための第２の検知センサ部とを備え、前記第１の検知センサ部がレバー操作部と基部との間に介在された基板上に形成され、前記第２の検知センサ部がレバー操作部と反対側の基部上に設けられ、該第２の検知センサ部上にメタルコンタクト部材が設けられて前記基部が上下に移動自在とされており、前記メタルコンタクト部材と対向する位置に突起部が設けられ、前記基部の上下移動により前記メタルコンタクト部材が前記突起部に弾性変形されて第２の検知センサ部が入切されることを特徴とする座標入力装置。
【請求項２０】
請求項１〜１９のいずれか１項に記載の座標入力装置を、多数のキースイッチを配列した筐体に固定したことを特徴とするキーボード入力装置。
【請求項２１】
請求項１〜１９のいずれか１項に記載の座標入力装置を備えたことを特徴とする電子機器。
【請求項２２】
請求項２０に記載のキーボード入力装置を備えたことを特徴とする電子機器。
【手続補正２】
【補正対象書類名】明細書
【補正対象項目名】００１１
【補正方法】変更
【補正の内容】
【００１１】
【課題を解決するための手段】
上記の目的を達成するために、本発明は以下の構成を採用した。
本発明は、基部と、該基部上に立設されたレバー操作部と、該レバー操作部に対する基部面方向の２次元押圧力を検知して２次元の検知信号を出力するための第１の検知センサ部と、前記レバー操作部に対する基部鉛直方向の押圧力を検知して入出力信号を出力するための第２の検知センサ部とを備え、前記第２の検知センサ部は、前記レバー操作部の上面に設けられたことを特徴とする。
本発明は、基部と、該基部上に立設されたレバー操作部と、該レバー操作部に対する基部面方向の２次元押圧力を検知して２次元の検知信号を出力するための第１の検知センサ部と、前記レバー操作部に対する基部鉛直方向の押圧力を検知して入出力信号を出力するための第２の検知センサ部と前記第１の検知センサ部及び前記第２の検知センサ部からの信号を演算処理する制御回路とを備え、前記レバー操作部の傾倒と共に、前記第２の検知センサ部からの信号によりドラッグ機能を行なうことを特徴とする。
本発明は、基部と、該基部上に立設されたレバー操作部と、該レバー操作部に対する基部面方向の２次元押圧力を検知して２次元の検知信号を出力するための第１の検知センサ部と、前記レバー操作部に対する基部鉛直方向の押圧力を検知して入出力信号を出力するための第２の検知センサ部と前記第１の検知センサ部及び前記第２の検知センサ部からの信号を演算処理する制御回路とを備え、前記第２の検知センサ部からの信号によりダブルクリック機能を行なうことを特徴とする。